(57)【要約】 【課題】  連結玩具に内蔵される各仕掛けを時間差を持たせて動作させることにより楽しく遊ぶことができる連結玩具の提供。【解決手段】前壁１２、２１２、および後壁１１、２１１と、車輪３を備えた第１の玩具体１と第２の玩具体２００と、各玩具体に内蔵される仕掛けと、連結杆１３を備え、前壁スイッチ部材の突出位置から後退位置への移動距離は、連結杆が突出位置から後退位置へ移動する移動距離よりも小さく設定され、前壁スイッチ部材は、連結部が連結杆に連結されることにより第１の玩具体と第２の玩具体とが連結された状態で連結杆が後退位置へ移動したときに第１の玩具体の後壁に当接することで後退位置に移動可能に構成される。【選択図】  図１
2008136750.tif 000002
【特許請求の範囲】
【請求項１】
前壁および後壁を夫々有した第１の玩具体と第２の玩具体とを備え、
前記第１の玩具体は、
使用者により操作される操作手段と、
第１の付勢手段により可動方向に付勢された第１の可動部と、
前記第１の可動部を前記第１の付勢手段の付勢力に抗して、可動方向に付勢された状態で保持する第１の保持手段と、
前記第１の玩具体の後壁に対して、後壁から一部が突出した突出位置と、前記突出位置より突出量の少ない後退位置と、の間で移動可能な連結杆と、
前記連結杆が前記突出位置から前記後退位置へ移動する方向に付勢する第２の付勢手段と、
前記連結杆が前記第２の付勢手段の付勢力に抗して前記後退位置へ移動する方向に付勢された状態で保持する第２の保持手段と、
前記操作手段の操作に応じて、前記第１および前記第２の保持手段による保持を解除する第１の解除手段と、
前記連結杆の前記第２の付勢手段による前記後退位置への移動の際に、前記連結杆の前記後退位置への移動速度を抑制する抑制手段と、を有し、
前記第２の玩具体は、
前壁に設けられ、前記連結杆に連結可能な連結手段と、
前壁の近傍に設けられ、前記前壁から突出した突出位置と、前記突出位置より突出量の少ない後退位置との間で移動可能な前壁スイッチ部材と、
第３の付勢手段により可動方向に付勢された第２の可動部と、
前記第２の可動部を前記第３の付勢手段の付勢力に抗して、可動方向に付勢された状態で保持する第３の保持手段と、
前記前壁スイッチ部材の前記後退位置への移動に応じて、前記第３の保持手段の保持を解除する第２の解除手段と、を有し、
前記前壁スイッチ部材は、前記連結手段が前記連結杆に連結されることにより、前記第１の玩具体と前記第２の玩具体とが連結された状態で前記連結杆が前記後退位置へ移動したときに前記第１の玩具体の前記後壁に当接することで前記後退位置に移動可能であることを特徴とする連結玩具。
【請求項２】
前記抑制手段は、前記連結杆の前記第２の付勢手段による前記後退位置への移動に対して負荷をかけることにより、前記連結杆の前記後退位置への移動速度を抑制することを特徴とする請求項１記載の連結玩具。
【請求項３】
前記前壁スイッチ部材の前記突出位置から前記後退位置への移動距離は、前記連結杆が前記突出位置から前記後退位置へ移動する移動距離よりも小さく設定されていることを特徴とする請求項１または２記載の連結玩具。
【請求項４】
前壁および後壁を有した装置本体と、
前記前壁の近傍に設けられ、前壁から突出した突出位置と、前記突出位置より突出量の少ない後退位置との間で移動可能な前壁スイッチ部材と、
前記前壁スイッチ部材を少なくとも前記突出位置から前記後退位置へ移動させる操作スイッチ部材と、
第１の付勢手段により可動方向に付勢された可動部と、
前記可動部を前記第１の付勢手段の付勢力に抗して、可動方向に付勢された状態で保持する第１の保持手段と、
前記装置本体に対して後壁から一部が突出した突出位置と、前記突出位置より突出量の少ない後退位置との間で移動可能な連結杆と、
前記連結杆を、前記突出位置から前記後退位置へ移動する方向に付勢する第２の付勢手段と、
前記連結杆を、前記第２の付勢手段の付勢力に抗して、前記後退位置へ移動する方向に付勢された状態で保持する第２の保持手段と、
前記前壁スイッチ部材の前記後退位置への移動に応じて前記第１および前記第２の保持手段による保持を解除する解除手段と、を有し、
前記連結杆が前記第２の付勢手段により前記後退位置へ移動される際に、前記連結杆の前記後退位置への移動速度を抑制するための抑制手段と、を有することを特徴とする連結玩具。
【請求項５】
前記抑制手段は、前記連結杆が前記第２の付勢手段により前記後退位置への移動に対して負荷をかけることにより前記連結杆の前記後退位置への移動速度を抑制することを特徴とする請求項４記載の連結玩具。
【請求項６】
前記装置本体の後壁側に他の装置本体を連結するように前記他の装置本体の前壁の近傍には前記連結杆に対して連結可能な連結手段が設けられており、
前記他の前壁スイッチ部材は、前記連結手段に前記連結杆が連結された状態で、後退位置へ移動したとき、前記装置本体の後壁に当接することにより後退位置に移動可能であることを特徴とする請求項４または５に記載の連結玩具。
【請求項７】
前記他の装置本体に設けられる他の前壁スイッチ部材の突出位置から後退位置への移動距離は、前記連結杆が突出位置から後退位置へ移動する移動距離よりも小さく設定されていることを特徴とする請求項６に記載の連結玩具。
【発明の詳細な説明】
【技術分野】
【０００１】
本発明は、連結玩具に関するものである。
【背景技術】
【０００２】
個別に構成される玩具を合体して遊ぶ合体式の玩具において、複数の玩具が独立した形態を有しており、それぞれ変形可能な二つの玩具が結合された場合に、両玩具が合体した状態で第三の形態に変化する形態変化玩具が提案されている。（特許文献１）
また、玩具に内蔵された仕掛け（ギミックとも言う）を操作スイッチの押圧で外部に露出して楽しむように構成された各種玩具も販売されている。
【特許文献１】特開昭６２−１８３７８７号公報
【発明の開示】
【発明が解決しようとする課題】
【０００３】
しかしながら、少なくとも２つ以上の玩具に対して異なるギミックまたは同じギミックを個別に内蔵しておき、操作スイッチの操作に伴い各ギミックを時間差をもって作動するように構成された玩具は存在していない。このように構成された玩具は、自然な動きとなるので興趣性が高い玩具となる。
【０００４】
したがって、本発明は上記の問題点に鑑みて成されたものであり、ギミックを有する二つの玩具を連結し、一方の玩具のギミックが可動した後、時間差をもって他方の玩具のギミックが可動することで興趣性が高くなる連結玩具の提供を目的としている。
【課題を解決するための手段】
【０００５】
上述した課題を解決し、目的を達成するために、本発明の連結玩具によれば、前壁および後壁と、を夫々有した第１の玩具体と第２の玩具体とを備え、前記第１の玩具体は、使用者により操作される操作手段と、第１の付勢手段により可動方向に付勢された第１の可動部と、前記第１の可動部を前記第１の付勢手段の付勢力に抗して、可動方向に付勢された状態で保持する第１の保持手段と、前記第１の玩具体の後壁に対して、後壁から一部が突出した突出位置と、前記突出位置より突出量の少ない後退位置と、の間で移動可能な連結杆と、前記連結杆が前記突出位置から前記後退位置へ移動する方向に付勢する第２の付勢手段と、前記連結杆が前記第２の付勢手段の付勢力に抗して前記後退位置へ移動する方向に付勢された状態で保持する第２の保持手段と、前記操作手段の操作に応じて、前記第１および前記第２の保持手段による保持を解除する第１の解除手段と、前記連結杆の前記第２の付勢手段による前記後退位置への移動の際に、前記連結杆の前記後退位置への移動速度を抑制する抑制手段とを有し、前記第２の玩具体は、前壁に設けられ、前記連結杆に連結可能な連結手段と、前壁の近傍に設けられ、前記前壁から突出した突出位置と、前記突出位置より突出量の少ない後退位置との間で移動可能な前壁スイッチ部材と、第３の付勢手段により可動方向に付勢された第２の可動部と、前記第２の可動部を前記第３の付勢手段の付勢力に抗して、可動方向に付勢された状態で保持する第３の保持手段と、前記前壁スイッチ部材の前記後退位置への移動に応じて、前記第３の保持手段の保持を解除する第２の解除手段とを有し、前記前壁スイッチ部材は、前記連結手段が前記連結杆に連結されることにより、前記第１の玩具体と前記第２の玩具体とが連結された状態で前記連結杆が前記後退位置へ移動したときに前記第１の玩具体の前記後壁に当接することで前記後退位置に移動可能であることを特徴としている。そして、前記抑制手段は、前記連結杆の前記第２の付勢手段による前記後退位置への移動に対して負荷をかけることにより、前記連結杆の前記後退位置への移動速度を抑制することを特徴としている。そしてまた、前記前壁スイッチ部材の前記突出位置から前記後退位置への移動距離は、前記連結杆が前記突出位置から前記後退位置へ移動する移動距離よりも小さく設定されていることを特徴としている。
【０００６】
また、本発明の連結玩具によれば、前壁および後壁を有した装置本体と、前記前壁の近傍に設けられ、前壁から突出した突出位置と、前記突出位置より突出量の少ない後退位置との間で移動可能な前壁スイッチ部材と、前記前壁スイッチ部材を少なくとも前記突出位置から前記後退位置へ移動させる操作スイッチ部材と、第１の付勢手段により可動方向に付勢された可動部と、前記可動部を前記第１の付勢手段の付勢力に抗して、可動方向に付勢された状態で保持する第１の保持手段と、前記装置本体に対して後壁から一部が突出した突出位置と、前記突出位置より突出量の少ない後退位置との間で移動可能な連結杆と、前記連結杆を、前記突出位置から前記後退位置へ移動する方向に付勢する第２の付勢手段と、前記連結杆を、前記第２の付勢手段の付勢力に抗して、前記後退位置へ移動する方向に付勢された状態で保持する第２の保持手段と、前記前壁スイッチ部材の前記後退位置への移動に応じて前記第１および前記第２の保持手段による保持を解除する解除手段とを有し、前記連結杆が前記第２の付勢手段により前記後退位置へ移動される際に、前記連結杆の前記後退位置への移動速度を抑制する抑制手段とを有することを特徴としている。
【０００７】
そして、前記抑制手段は、前記連結杆が前記第２の付勢手段により前記後退位置への移動に対して負荷をかけることにより前記連結杆の前記後退位置への移動速度を抑制することを特徴としている。そしてまた、前記装置本体の後壁側に他の装置本体を連結するように前記他の装置本体の前壁の近傍には前記連結杆に対して連結可能な連結手段が設けられており、前記他の前壁スイッチ部材は、前記連結手段に前記連結杆が連結された状態で、後退位置へ移動したとき、前記装置本体の後壁に当接することにより後退位置に移動可能であることを特徴としている。さらにまた、前記他の装置本体に設けられる他の前壁スイッチ部材の突出位置から後退位置への移動距離は、前記連結杆が突出位置から後退位置へ移動する移動距離よりも小さく設定されていることを特徴としている。
【発明の効果】
【０００８】
第１の玩具体に設けられた操作手段が使用者により操作されると、第１の玩具体に設けられた仕掛けが動作し、その後移動速度を抑制する抑制手段を備えた連結杆を介して第２の玩具体に設けられた仕掛けが時間差をもって動作するので、興趣性が高くなる。
【０００９】
同様に装置本体に連結された他の装置本体の仕掛けが時間差をもって動作するので、興趣性が高くなる。
【発明を実施するための最良の形態】
【００１０】
以下に、本発明の好適な一実施形態について添付の各図面を参照して述べる。本発明は様々な修正と変更が可能であり、その内の特定の事例が図面に図示されており、以下に詳細に記述されることになる。しかしながら、本発明はこれらに限定されず請求の範囲に規定された範囲で種々の構成が可能であることは言うまでもなく、後述する構成以外にも全ての連結玩具に適用可能である。
【００１１】
先ず、図１は本発明の一実施形態である連結玩具に内蔵される各仕掛けを動作させた後の様子を図示するために左斜め上から見た外観斜視図である。ここで、連結玩具は図示されるように、先頭車両である第１の玩具体１と、貨物車である第２の玩具体２００とを連結した様子が図示されている。なお、本実施例においては、第１の玩具体１、第２の玩具体には、移動部材である車輪３が基部の四隅に回転自在に設けられているが、これは必ずしも本願発明の連結玩具を実施するにあたり必須の構成ではない。というのも、本願発明の連結玩具は、本実施例のように必ずしも第１の玩具体１、第２の玩具体２がそれぞれ接地するような玩具でなくとも実施可能であるためである。例えば、使用者の手に持たれる把持部を第１の玩具体１とし、第２の玩具体２００を第１の玩具体１に連結された玩具体としたような手持ち玩具においても、本願発明の連結玩具の実施は可能である。また、本実施例のように接地するような玩具に適用する場合においても、接地面の摩擦抵抗が少なければ移動部材は不要である。また、移動部材を設けたとしても車輪３に限定されず種々の形態が可能である。例えば、図示される車輪３に代えてキャタピラ、ソリなどの移動部材を設けても良く、あるいは動力船に連結される貨物船を曳航するように構成しても良く、種々のバリエーションが可能となる。あるいは、図１において、先頭車両である動力車を固定式の装置本体として構成し、連結される貨物車を他の装置本体としてこの装置のみが移動されるように構成しても良い。
【００１２】
また、以下の説明では先頭機関車を模した第１の玩具体１と、貨物車を模した第２の玩具体２００とを連結した後に、第１の玩具体１の屋根部分から突出するように設けられた操作ボタンである第１の操作部１０を押下操作することで各玩具体に内蔵された各仕掛けが動作される事例について述べる。図１において連結玩具は、主に５歳前後の男児が手のひらで把持して床面Ｇ上に置き遊ぶことができる外形寸法を有しており、全体は基本的に複数の樹脂成形部品を組み付けることで完成される。
【００１３】
図１において、第１の玩具体１は、基部２の底面の四隅に移動部材である車輪３を回転自在に設けている。また、基部２の上には前壁１２および後壁１１を一体成形したカバー４が不図示のネジにより固定されている。このカバー４の前壁１２は図示のように先細りの形状になっており、その上に運転席が配置されており、運転席の上には運転席ドア６が矢印方向に閉じられるように軸支されている。このためキャラクター人形を運転席にセット後にドア６を閉じることができるとともに、運転席を左右から取り囲む透明樹脂製の風防５が固定されており、内部に固定された発光ダイオード１５の発光状態を外部から見えるようにしている。この発光ダイオード１５は破線図示の電池１４からの電力供給を不図示のスイッチを介して受けるようにして、雰囲気を演出している。
【００１４】
第１の玩具体１には、カバー４から上方に突出するように第１の操作部１０が設けられており、また、この第１の操作部１０に隣接してカバー４には第１の仕掛け収容部４ｂが図示のように形成されており、第１の仕掛けを収容している。この第１の仕掛けは、砲台９を回動自在に保持した第１の可動部である昇降台８と、図示のように左右に開く一対のガルウイング扉７、７とから構成されており、昇降台８が後述する第１の付勢手段である圧縮コイルバネにより上昇方向に可動するように付勢されており、可動後は図示のような位置にまで上昇可能となっている。また、昇降台８は、圧縮コイルバネの付勢力に抗して可動方向（本例においては上昇する方向）に付勢された状態で保持されるように、後述の第１の保持手段となる第１の係止部材により、係止状態（本例においては第１の仕掛け収容部４ｂに収容された状態）に保持されるように構成されている。
【００１５】
一方、この第１の玩具体１には、第１の玩具体１の後壁１１から一部が突出した突出位置とこの突出位置より突出量の少ない後退位置との間で移動可能な破線図示の連結杆１３が第１の玩具体１の長手方向に沿って設けられており、第１の玩具体１の内部には、この連結杆１３が突出位置から後退位置へ移動する方向に付勢する第２の付勢手段である引張りコイルバネが後述するように設けられている。
【００１６】
そして、第１の玩具体１には、この連結杆１３を引張りコイルバネの付勢力に抗して後退位置へ移動する方向に付勢された状態で保持する第２の保持手段と、第１の操作部１０の操作に応じて第２の保持手段による保持を解除する第１の解除手段となる第１の係止機構が後述するように内蔵されている。また、第１の玩具体１の内部であって、連結杆１３の近傍には、連結杆１３の引張りコイルバネによる後退位置への移動に対して負荷をかけることにより、連結杆１３が後退位置へ移動する移動速度を抑制する抑制手段である抑制機構が設けられている。
【００１７】
一方、第２の玩具体２００は、第１の玩具体１を短くした形状を有しており基部２０２の底面の四隅に車輪３を回転自在に設けている。また、基部２０２の上には前壁２１２および後壁２１１を一体成形したカバー２０４が不図示のネジにより固定されている。また、第２の玩具体２００には、後述する前壁スイッチ部材が、その前部がカバー２０４の前壁２１２から突出するように設けられている。また、カバー２０４の屋根部分から突出するように、第２の操作部２１０が設けられており、これに隣接してカバー２０４には第２の仕掛けを収容する第２の仕掛け収容部２０４ｂが形成されている。
【００１８】
この第２の仕掛けは、一端が軸体２５０（図２参照）によってカバー２０４に揺動可能に軸支され、図示のように垂直に開く開閉扉２０７と、この開閉扉２０７の他端近傍において一端が回動自在に軸支される回動扉２０８と、この回動扉２０８の上面に固定された戦闘機２０９とから構成されている。開閉扉２０７は、その一端とカバー２０４との連結部分に設けられた、後述する第２の付勢手段であるトーションバネにより、上昇方向（可動方向、垂直に開く方向）に付勢されている。また、第２の玩具体２００の内部には、開閉扉２０７をトーションバネの付勢力に抗して、図示の上昇方向（可動方向）に付勢された状態で保持するための第２の保持手段である係止部材が設けられている。係止部材は係止部２２４ａを有しており、係止部２２４ａは、開閉扉２０７の他端面に形成された係止溝２０７ａに潜入することで、トーションバネの付勢力に抗して開閉扉２０７を係止状態（本例においては第２の仕掛け収容部２０４ｂに収容された状態）に保持可能である。
【００１９】
また、第２の玩具体２００には、その長手方向に沿って第２の連結杆２１３が設けられている。第２の連結杆２１３は、この第２の玩具体２００の後壁２１１の下方から図示のように突出できるように設けられている。また、第２の玩具体２００も、第１の玩具体１同様の抑制手段を内蔵しており、図示しない他の第３、第４、第５の玩具体が連結された場合は、夫々の玩具体に内蔵される夫々異なる仕掛けを遅れて可動位置に動作させることができるように構成されている。すなわち、使用者の保護者は上記の第１、第２の玩具体を購入して遊ばせた後に、異なる仕掛けを内蔵した第３、第４、第５の玩具体をさらに連結して遊ぶことができるようにして長く遊べる配慮がなされている。
【００２０】
次に、図２(ａ)〜（ｄ）は、図１の連結玩具を模式的に図示した動作説明の正面図である。本図において、既に説明済みの構成または部品については同様の符号を附して説明を割愛すると、先ず(ａ)において、テーブル面または床面Ｇ上に第１の玩具体１と、第２の玩具体２００とが、第１の連結杆１３に形成された孔部に連結部２０２Ｋが入ることにより連結された状態で置かれている。第１の連結杆１３は、第２の保持手段により、引張りコイルバネ（第２の付勢手段）の付勢力に抗して後退位置へ移動する方向に付勢された状態で、突出位置にて保持されている。このために、後壁１１と前壁２１２との間で距離Ｌ１分離間した状態となっている。
【００２１】
また、昇降台８（第１の可動部）は、第１の係止部材により係止状態（本例においては第１の仕掛け収容部４ｂに収容された状態）に保持された状態とされている。またこのとき、昇降台８の上面に設けられた破線図示の砲台９とともに、一端がカバー４に対して回動軸支されたガルウイング７により覆い隠された状態となっている。また、第２の玩具体２００の第２の仕掛けである開閉扉２０７はカバーに対して軸体２５０周りに回動され、係止状態（第２の仕掛け収容部２０４ｂに収容された状態）で保持されている。このとき、開閉扉２０７の上面（以後、図２における上方の面を「上面」と称する）は、カバーの屋根形状の上面と面一になる状態で保持されている。また、第２の玩具体２００の前壁２１２の下部からは前壁スイッチ部材２２０が図示のように突出した状態となっており、さらに第２の玩具体２００の後壁からは第２の連結杆２１３が突出位置に突出した状態となっている。この状態で第１の操作部１０を指先Ｆで矢印Ｄ１方向に押下すると(ｂ)に図示するように昇降台８の第１の保持手段（後述）による係止状態が解除されて、昇降台８とともに砲台９が矢印Ｄ２方向に上昇する。これに伴い、砲台９の上面がガルウイング７の底面に当接することで、各ガルイング７が図１に図示したように左右に開く結果、第１の仕掛けが外部に現れる状態となる。また、略同時に第１の連結杆１３の第２の保持手段による保持が解除されるため、第１の連結杆１３は第２の付勢手段の付勢力によって矢印Ｄ３方向（突出位置から後退位置へ向かう方向）に移動を開始する。しかしながら、第１の連結杆１３の移動速度は抑制されているため、第1の仕掛けが外部に表れた時点（第１の可動部の動作が終了した時点）では、まだ第１の連結杆１３は後退位置にまで達しておらず、後退位置に向けて移動中の状態となっている。第１の連結杆１３が後退位置に向けて移動することにより、第１の玩具体１に第２の玩具体２００が引き寄せられていく（矢印の方向）。第１の連結杆１３が後退位置に移動する途中で、前壁スイッチ部材２２０は第１の玩具体１の後壁に当接する。さらに第１の連結杆１３が移動すると、第１の玩具体１の後壁によって、前壁スイッチ部材２２０は押圧されることとなり、突出位置から後退位置に向けて移動していく。
【００２２】
そして、(ｃ)に図示のように第２の玩具体２００がさらに引き寄せられて、前壁スイッチ部材２２０が後退位置に達したとき（このとき、連結部２０２ｋと後壁１１との間が距離Ｌ２になる）、第２の玩具体２００の第２の仕掛けの第３の保持手段による保持が解除されて、先ず最初に開閉扉２０７が軸体２５０周りに設けられたトーションバネ２５１の作用によって矢印方向に回動して図示のように垂直位置まで起き上がる。前述したとおり、第１の玩具体１の第１の仕掛けは、第１の連結杆１３が後退位置に向けて移動している途中で動作を完了しているので、開閉扉２０７が起き上がる時点ですでに、第１の仕掛けは動作を完了している。すなわち、開閉扉２０７は、第１の仕掛けが動作してから時間差を持って起き上がることになる。その後、開閉扉２０７に内蔵された可動式係止爪２５５によって係止されていた固定式係止爪２５６を底面に固定した回動扉２０８の係止が解除されて、同じく軸体２５２周りに設けられたトーションバネ２５３の作用により回動扉２０８が矢印方向に回動し、最後に(ｄ)に図示のように戦闘機２０９が表面に現れて一連の動作を終えるように構成されている。
【００２３】
なお、前壁スイッチ部材２２０の突出位置から後退位置への移動距離は、連結杆１３が突出位置から後退位置へ移動する移動距離よりも小さく設定されている。このことにより、第１の連結杆１３が後退位置へ移動していく最中に、前壁スイッチ部材２２０は突出位置から後退位置へ達し、第２の仕掛けを動作させることになる。
【００２４】
次に、図３は図１の第１の玩具体１のＸ-Ｘ線矢視断面図であり、第１の仕掛けが係止状態にあることを図示している。本図において、既に説明済みの構成または部品については同様の符号を附して説明を割愛する。第１の操作部１０には図示のような鍔部が形成されており、カバーの孔部の内側にこの鍔部が位置して抜け止めされているとともに、圧縮コイルバネ１９がカバーの内面に設けられた収納部４ａの底壁との間に設けられており、第１の操作部１０は常時上方に向けて移動付勢されている。この第１の操作部１０の底面は、図示のように、第１の玩具体１の前方から後方に向かって上昇するような傾斜面１０ａとなっている。また、第１の操作部１０の下方には第１の解除部材２０が設けられている。第１の解除部材２０の上面で、第１の操作部１０の底面と対向する位置には、傾斜面２０ａが設けられている。傾斜面２０ａも第１の玩具体１の前方から後方に向かって上昇するように傾斜している。第１の操作部１０の傾斜面１０ａは、第１の操作部１０が上記のように押下されるに伴い、第１の解除部材２０の傾斜面２０ａに対して当接可能とされている。傾斜面１０ａと傾斜面２０ａが当接すると、第１の玩具体１の前方から後方へ向かう方向の分力が傾斜面２０ａに発生して、第１の解除部材２０を第１の玩具体１の前方から後方に向かう方向（矢印方向）に移動させる。また、この第１の解除部材２０の後方の側面と基部２との間には圧縮コイルスプリング２１が設けられており、第１の解除部材２０を前方に向けて（矢印とは反対方向に）常時移動付勢している。
【００２５】
上記の昇降台８は、基部２に一端が固定された少なくとも２本のガイド棒２２により上下方向に案内されるとともに、ガイド棒２２周りに設けられた圧縮コイルバネ２３の作用により常時上方に移動するように設けられている。この昇降台８の底壁には係止孔８ａが形成されている。また、昇降台８の下方で、係止孔８ａと対向する位置には、第１の係止部材２４が設けられている。第１の係止部材２４は断面略Ｌ字状をしており、その上端部に爪状の係止部が設けられている。昇降台８を圧縮コイルバネ２３の付勢力に抗して下降させると、第１の係止部材２４の係止部は、昇降台８の係止孔８ａの縁部に係合する。このことにより、第１の係止部材２４は、昇降台８の上方への移動を防止している。このとき、昇降台８は圧縮コイルバネ２３によって上方に付勢された状態となっている。すなわち、第１の係止部材２４は第１の保持手段であり、昇降台８（第１の可動部）を圧縮コイルバネ２３（第１の付勢手段）の付勢力に抗して、上昇方向（可動方向）に付勢された状態で保持可能である。
【００２６】
第１の係止部材２４の、基部２と略平行な底壁には、底壁の上面から下面に向けて貫通した長孔部２４ａが形成されている。長孔部２４ａは第１の玩具体１の前方から後方へ向かう方向に延びている。この長孔部２４ａには金属製の第１の作動ピン２７の一端が挿入されている。第１の係止部材２４が昇降台８を係止しているときには、第１の作動ピン２７は長孔部２４ａの前端部（図３における左側）に位置する状態となっている。第１の係止部材２４の下方には、樹脂製の第１のピン部材４８が前後に揺動可能に設けられている。第１の作動ピン２７は第１のピン部材４８に上下方向に貫通するように嵌入されている。このことにより、第１のピン部材４８の揺動に伴って第１の作動ピン２７も前後方向に揺動し、第１の係止部材２４を前後方向に移動させる構成となっている。また、この第１のピン部材４８の下方には第１の作動部材２８が左右方向（以後、図３の紙面の奥側を「右」、手前側を「左」と称する。）に揺動可能になるように設けられている。第１の作動部材２８には、上下方向に貫通した長孔部２８ａが形成されており、第１の作動ピン２７の他端が当該長孔部２８ａに挿入されている。このことにより、第１のピン部材４８の前後方向への揺動に伴って、第１の作動ピン２７を介して、第１の作動部材２８は左右方向へ揺動するように構成されている。なお、第１の作動ピン２７、第１の作動部材２８、第１のピン部材４８との協働作用については、詳細は後述する。
【００２７】
続いて、図４は図１の第１の玩具体１のＸ-Ｘ線矢視断面図であり、第１の仕掛けの係止が解除された解除状態にあることを図示している。本図において、第１の操作部１０が図示のように押下されると各傾斜面の当接後に発生する分力で、第１の解除部材２０が後方（矢印方向）に移動される。これに伴い、第１のピン部材４８が後方へ揺動する。そのため、第１の係止部材２４の長孔部２４ａ中の前端部（左側）に位置していた第１の作動ピン２７が、長孔部２４ａの後端部（右側）に位置するように移動し（矢印方向）、長孔部２４ａの内面を後方へと押圧するので、第１の係止部材２４は後方へ移動することになる。第１の係止部材２４の後方への移動に伴い、第１の係止部材２４の係止部による、昇降台８の係止孔８ａの係止が解除され、昇降台８が各圧縮コイルバネ２３の作用により上昇する。また、ガルウイング７が左右に開く状態になる。なお、第１の解除部材２０の移動に伴う第１のピン部材４８の後方への揺動については、詳細は後述する。
【００２８】
次に、図５は図１の第２の玩具体２００のＹ-Ｙ線矢視断面図であり、第２の仕掛けが係止状態にあることを図示している。本図において、既に説明済みの構成または部品については同様の符号を附して説明を割愛する。第１の連結杆１３の孔部１３ａ中において連結部２０２ｋが左よりに位置している。一方、屋根から上端が突出するように設けられた第２の操作部２１０には、図示のような鍔部が形成されており、カバー２０４の孔部の内側にこの鍔部が位置して抜け止めされているとともに、圧縮コイルバネ２１９がカバーの内面に設けられた収納部の底壁との間に設けられており、第２の操作部２１０は常時上方に向けて移動付勢されている。ここで、この第２の操作部２１０は第１の玩具体１と連結して使用される場合には必ずしも設ける必要はない。
【００２９】
この第２の操作部２１０の底面は図示のように、第２の玩具体２００の前方から後方に向かって上昇するような傾斜面２１０ａとなっている。また、第２の操作部２１０の下方には第２の解除部材である前壁スイッチ部材２２０が設けられている。前壁スイッチ部材２２０の上面で、第２の操作部２１０の底面と対向する位置には、傾斜面２２０ａが設けられている。傾斜面２２０ａも第２の玩具体２００の前方から後方に向かって上昇するように傾斜している。第２の操作部２１０の傾斜面２１０ａは、第２の操作部２１０が上記のように押下されるに伴い、前壁スイッチ部材２２０の傾斜面２２０ａに対して当接可能とされている。傾斜面２１０ａと傾斜面２２０ａが当接すると、第２の玩具体２００の前方から後方へ向かう方向の分力が傾斜面２２０ａに発生して、第２の解除部材である前壁スイッチ部材２２０を第２の玩具体２００の前方から後方に向かう方向（図５における右方向）に移動させる。また、この前壁スイッチ部材２２０の後面と基部２０２との間には圧縮コイルスプリング２２１が設けられており、前壁スイッチ部材２２０を常時前方（図５における左方向）に移動付勢しており、前壁スイッチ部材２２０の前面の当接部２２０ｂが、第２の玩具体２００の前壁から突出するように構成されている。当接部２２０ｂは、前述のとおり、第１の連結杆１３の後退位置への移動に伴い、第２の玩具体２００が第１の玩具体１に引き寄せられることで、第１の玩具体１の後壁１１に対して当接し、後壁１１によって押圧されることで、後退位置に向かう方向（図５における右方向）に移動できるように構成されている。
【００３０】
上記のように、係止孔２０７ａを設けた開閉扉２０７は、第２の係止部材２２４の上端に設けられた係止部２２４ａが係止孔２０７ａに係合することで、上方への移動を防止された係止状態で保持されている。すなわち、第２の係止部材２２４は第３の保持手段であり、開閉扉２０７（第２の可動部）をトーションバネ（第３の付勢手段）の付勢力に抗して、上方（可動方向）に付勢された状態で保持可能である。
【００３１】
この第２の係止部材２２４はカバーに対して回動軸支される軸支部２２５を一体形成しており、圧縮コイルバネ２２６の作用で開閉扉２０７の係止孔２０７ａに上端の係止部２２４ａが係合する方向（図５における時計回転方向）に移動付勢されている。また、第２の係止部材２２４の下方には、摺動部材２９０が設けられている。摺動部材２９０の上面で、第２の係止部材２２４の下端と対向する位置には、谷部が設けられている。第２の係止部材２２４の下端は、当該谷部に図示のように潜入している。また、摺動部材２９０には、上下方向に貫通する長孔部２９０ａが形成されている。長孔部２９０ａは、第２の玩具体２００の前方から後方へ向かうように延びている。この長孔部２９０ａには、金属製の第２の作動ピン２２７の一端が挿入されている。第２の係止部材２２４が開閉扉２０７を係止しているときには、第２の作動ピン２２７は長孔部２９０ａの前端部（図５における左側）に位置する状態となっている。摺動部材２９０の下方には、樹脂製の第２のピン部材２４８が、前後方向に揺動可能に設けられている。第２の作動ピン２２７は、上下方向に貫通するように第２のピン部材２４８に嵌入されている。このことにより、第２のピン部材２４８の前後方向への揺動に伴って、第２の作動ピン２２７も前後方向に揺動し、摺動部材２９０を前後方向に移動させるように構成されている。また、この第２のピン部材２４８の下方には、第２の作動部材２２８が左右方向（以後、図５の紙面の手前側を「左」、奥側を「右側」と称する。）に揺動可能になるように設けられている。第２の作動部材２２８には、第２の作動ピン２２７の他端が挿入されている。このことにより、第２のピン部材２４８の前後方向への揺動に伴って、第２の作動ピン２２７を介して、第２の作動部材２２８は左右方向に揺動するように構成されている。なお、第２の作動ピン２２７、第２の作動部材２２８、第２のピン部材２４８との協働作用は、後述する第１の作動ピン２７、第２の作動部材２８、第１のピン部材４８の協働作用と同様である。
【００３２】
続いて、図６は図１の第２の玩具体２００のＹ-Ｙ線矢視断面図であり、第２の仕掛けの係止が解除された解除状態にあることを図示している。本図において、図２(ｃ)で述べたように、第１の連結杆１３が後退位置に向かって移動することに伴い、第２の玩具体２００が第１の玩具体１に引き寄せられることで、前壁スイッチ部材２２０の前面の当接部２２０ｂが第１の玩具体１の後壁１１に当接し、後壁１１によって押圧されるに伴い、第２のピン部材２４８が後方へ揺動する。そのため、摺動部材２９０の長孔部２９０ａ中で前端部（左側）に位置していた第２の作動ピン２２７が、長孔部２９０ａの後端部（右側）に位置するように移動し、長孔部２９０ａの内面を後方へ押圧するため、摺動部材２９０も後方へ移動する。これに伴い、摺動部材２９０の上面の谷部に潜入している第２の係止部材２２４の下端も後方へ移動させられるため、第２の係止部材２２４は、上端の係止部２２４ａが開閉扉２０７の係止孔２０７ａから離間する方向（反時計回転方向）に、軸支部２２５回りに回動する。このことにより、開閉扉２０７ａの係止状態が解除される。この結果、開閉扉２０７がトーションバネ（第３の付勢手段）の作用により上昇し、続いて回動扉２０８が開かれることになる。
【００３３】
次に図７は、図１の第１の玩具体１、第２の玩具体２００のＺ-Ｚ線矢視断面図であって、上記の第１の連結杆１３と第２の連結杆２１３と第１のピン部材４８、第２のピン部材２４８と、第１の操作部の操作後に時間差をもって各仕掛けを遅れて動作させるための抑制手段である抑制機構３００との位置関係を主に図示している。本図において、既に説明済みの構成または部品については同様の符号を附して説明を割愛すると、第１の解除部材２０の後部には爪部材３３が設けられている。また、第１の解除部材２０の後方には、第１のピン部材４８が設けられている。第１のピン部材４８は、その左端近傍（図７において、下方が「前方」であるため、紙面左が各々の玩具体の「右」、紙面右が「左」であることに注意されたい。）において、基部２に固定された金属製の軸体３０（図中、黒塗りは基部に固定されたことを示す）に軸支されており、軸体３０周りを前後方向に回動可能に軸支されている。第１の解除部材２０と第１のピン部材４８の位置関係は、第１の解除部材２０の爪部材３３の先端部が、第１のピン部材４８の右端前面部位に対して摺接するように設定されている。また、第１のピン部材４８は、右端に対して軸体３０を挟んだ左端と基部２との間に設けられた圧縮コイルバネ４２の圧縮作用により、常時その右端前面部位が第１の解除部材２０の爪部材３３に圧接するように構成されている。また、第１の作動部材２８は、第１のピン部材４８の下方にて、その前端が基部２に固定された軸体３０に軸支されており、左右方向に揺動可能に構成されている。第１の作動部材２８は、基部２との間に設けられた圧縮コイルバネ４１の圧縮作用により、常時右方（図７における反時計回転方向）に回動付勢されている。
【００３４】
また、この第１の作動部材２８の後部には、上記の第１の作動ピン２７を案内するために斜めに長孔部２８ａが形成されている。第１の作動ピン２７は、第１のピン部材４８の前後方向への揺動に伴い、長孔部２８ａの前端部と後端部の間で移動可能である。また、長孔部２８ａは、第１の作動ピン２７が後方に移動すると、長孔部２８ａの内面の後側部分が第１の作動ピン２７に圧接されるような形状となっている。      
第１の連結杆１３は、軸体３０で案内される長孔部１３ｂと、不図示のガイド形状部により前後方向に移動可能に設けられている。また、長孔部１３ｂが軸体３０によって案内されていることにより、第１の連結杆１３の移動は、前後方向の一定範囲内に規制されている。例えば、本例においては、長孔部１３ｂの後側の内面と軸体３０が当接するときが、第１の連結杆１３が後退位置にあるときである。なお、第１の連結杆１３の後端が第１の玩具体１の後壁から突出しているが、その突出量は第１の連結杆１３が後退位置にある場合と、突出位置にある場合とで変化する。また、第１の連結杆１３の右側面から突出したスタッド部１３ｃと基部の軸体３０との間で引張りコイルバネ４４が貼設されている。引っ張りコイルバネ４４は第２の付勢手段であり、第１の連結杆１３を前方、すなわち、後退位置に向かう方向へ付勢している。また、この第１の連結杆１３の左側面にはラック１３ｋが一体樹脂成形されており、このラック１３ｋが抑制機構３００の小ギア３０に噛合している。この抑制機構３００の各ギアは軸体３０周りに回動軸支されている。
【００３５】
第２の玩具体２００の構成は概ね第１の玩具体１と同様であって、前壁スイッチ部材２２０の後部には爪部材２２７が設けられている。また、前壁スイッチ部材２２０の後方には、第２のピン部材２４８が設けられている。第２のピン部材２４８は、その左端近傍において、基部２０２に固定された軸体に軸支されており、軸体周りを前後方向に回動可能に構成されている。前壁スイッチ部材２２０と第２のピン部材２４８の位置関係は、前壁スイッチ部材２２０の爪部材２２７の先端部が、第２のピン部材２４８の右端前面部位に対して摺接するように設定されている。また、第２のピン部材２４８は、右端に対して軸体を挟んだ左端と基部２０２との間に設けられた圧縮コイルバネ２４２の圧縮作用により、常時その右端前面部位が、前壁スイッチ部材２２０の爪部材２２７に圧接するように構成されている。また、第２の作動部材２２８は、第２のピン部材２４８の下方にて、その前端が基部２０２に固定された軸体に軸支され、軸体回りを左右方向に揺動可能に構成されている。第２の作動部材２２８は、基部２０２との間に設けられた圧縮コイルバネの圧縮作用により、常時右方（図７における反時計回転方向）に回動付勢されている。
【００３６】
また、この第２の作動部材２２８の後部には、上記の第２の作動ピン２２７を案内するために斜めに長孔部２２８ａが形成されている。第２の作動ピン２２７は、第２のピン部材２４８の前後方向への揺動に伴い、長孔部２２８ａの前端部と後端部の間で移動可能である。また、長孔部２２８ａは、第２の作動ピン２２７が後方に移動すると、長孔部２２８ａの後側の内面が第２の作動ピン２２７によって押圧される形状となっている。
【００３７】
第２の連結杆２１３は、軸体で案内される長孔部と、不図示のガイド形状部により前後方向に移動可能に設けられている。また、長孔部が軸体によって案内されていることにより、第２の連結杆２１３の移動は、前後方向の一定範囲内に規制されている。例えば、本例においては、長孔部の後側の内面と軸体が当接するときが、第２の連結杆２１３が後退位置にあるときである。なお、第２の連結杆２１３の後端が第２の玩具体２００の後壁から突出しているが、その突出量は第２の連結杆２１３が後退位置にある場合と、突出位置にある場合とで変化する。また、第１の連結杆１３の右側面から突出したスタッド部と基部の軸体との間で、引張りコイルバネ２４４が貼設されている。引っ張りコイルバネ２４４は、第２の連結杆２１３を前方、すなわち後退位置に向かう方向へ付勢している。また、この第２の連結杆２１３の左側面にはラックが一体樹脂成形されており、このラックが抑制機構３００の小ギアに噛合している。
【００３８】
図８は、第１の連結杆１３が係止状態であることを図示した底面図である。第１の連結杆１３と第１の作動部材２８の位置関係は、第１の連結杆１３が後退位置にあるとき、第１の連結杆１３の前部左側面が、圧縮コイルバネ４１の作用により、第１の作動部材２８の右側面によって圧接されるように設定されている。また、使用者が、第１の連結杆１３を後退位置から突出位置に向かうように後方へ引っ張ると、第１の連結杆１３の前部左側面は第１の作動部材２８の右側面と摺接しながら後方へ移動していく。第１の連結杆１３を長孔部１３ｂの前部内面が軸体３０と当接する位置まで引っ張ると、第１の連結杆１３の前部左側面は、第１の作動部材２８の右側面に当接しなくなる。すると、第１の作動部材２８は、圧縮コイルバネ４１の作用により右方向に揺動し、その後面（当接面１３ｈ）が、第１の連結杆１３の前面（当接面２８ｈ）と対向するようになる（本図において、破線で図示される位置になる。）その後、使用者が第１の連結杆１３を放すと、引っ張りコイルバネ４４によって、第１の連結杆１３は前方、すなわち後退位置へ向かって移動しようとするが、第１の連結杆の前面（当接面２８ｈ）が第１の作動部材２８の後面（当接面１３ｈ）と当接するため、第１の連結杆１３の移動は阻止される。この状態において、第１の連結杆１３は、引張りコイルバネ４４（第２の付勢手段）の付勢力に抗して、前方（後退位置にへ移動する方向）に付勢された状態で第１の作動部材２８（第２の保持手段）によって保持されている。この後、上記のように第１の操作部１０が押下されると、前述のとおり、第１の解除部材２０は後方（矢印Ｄ１方向）に移動するので、爪部材２２も後方へ移動する。すると、爪部材２２の先端で第１のピン部材４８の右端前面部位が押圧され、第１のピン部材４８は軸体３０回りで後方へ回動する（図８の時計回転方向に回動する）。第１のピン部材４８が後方へ回動するに伴い、第１のピン部材４８の右端に挿入されている第１の作動ピン２７も後方へ回動する。第１の作動ピン２７の他端は、第１の作動部材２８の長孔部２８ａに挿入されており、第１の作動ピン２７が後方に移動すると、長孔部２８ａの内面の後側部分が、第１の作動ピン２７によって押圧される。このことにより、第１の作動部材２８は、軸体３０周りを左方へ回動する（図７の時計回りの方向に回動する）。第１の作動部材２８が左方へ回動することで、第１の作動部材２８の後面（当接面２８ｈ）と第１の連結杆１３の前面（当接面１３ｈ）が当接しなくなるため、第１の作動部材２８による第１の連結杆１３の保持が解除される。このことにより、第１の連結杆１３は、引張りコイルバネ４４の引張り作用により前方（図中の左方向）に移動を開始する。しかし、ラック１３ｋが抑制機構３００の小ギア３０１に噛合しているので、その移動速度は抑制される。以下、抑制機構３００について詳述すると、抑制機構３００は小ギア３０１を一体形成した大ギア３０２と、この大ギア３０２に噛合した小ギア３０４を一体形成した大ギア３０３と、この大ギア３０３に噛合した小ギア３０６を一体形成した大ギア３０５と、この大ギア３０５に噛合した小ギア３０７と、この小ギア３０７と一体形成されるとともに３個の錘３０８を偏在させた回転部材とから構成された増速機構である。このため、抑制機構３００は、ラック１３ｋに対して大きな負荷を発生させる。ここで、抑制機構３００は図示のようなギア群による増速機構以外にも永久磁石を用いたもの、磁性流体を用いたものなど、第１の連結杆１３の移動速度を抑制できるものであれば、様々なものが採用可能である。
【００３９】
したがって、図９に図示した第１の連結杆１３の係止が解除された後に抑制機構３００の各ギアが矢印方向に回動して、ラック１３ｋに負荷がかかるため、第１の連結杆１３の後退位置への移動速度が抑制され、後退位置に達するまでに時間を要するようになっている。なお、第１の連結杆１３は突出位置から後退位置へ距離Ｌ分の移動を行う。
【００４０】
図１０(ａ)から(ｃ）は、第１の作動ピン２７が前後方向に距離Ｋ分移動される動作説明のための底面図である。まず、図１０(ａ)において、上記のように第１の作動部材２８の後部には第１の作動ピン２７を案内する斜めの長孔部２８ａが形成されており、第１の作動ピン２７の他端（下端）は、長孔部２８ａに挿入されている。なお、図１０において紙面奥が第１の玩具体１の「下方向」であり、紙面手前が「上方向」である。また、図１０の左方が第１の玩具体１の前方向であり、右方が第１の玩具体１の後方向である。一方、第１の作動ピン２７は、第１のピン部材４８の右端近傍に挿入されている。第１のピン部材４８は、軸体３０周りに前後方向に回動可能に軸支されるとともに、基部との間に設けられた圧縮コイルバネ４２の圧縮作用により前方（図１０における反時計回転方向）に移動付勢されている。また、第１のピン部材４８が軸体３０により軸支されている位置から、第１の作動ピン２７が挿入されている位置は距離Ｒである。すなわち、第１のピン部材４８が前後方向に回動することにより、第１の作動ピン２７は半径Ｒの円弧の軌跡を描くこととなる。
【００４１】
この図１０(ａ)の状態から、第１のピン部材４８が、上記の第１の解除部材２０後部に設けられた爪部材３３の当接により、後方（図１０における時計回転方向）に回動されると、長孔部２８ａ中で前端部（左側）に位置していた第１の作動ピン２７も後方へ移動しようとするため、長孔部２８ａの後部内面を後方へ押圧しながら、長孔部２８ａ内を後端部に向けて移動し始める。これに応じて、第１の作動部材２８も左方に向けて回動し始める。第１の作動ピン２７が、長孔部２８ａの略中心部位に移動した時点における、第１の作動部材２８、第１のピン部材４８の関係を、図１０(ｂ)に図示する。さらに第１の解除部材２０が後方へ移動することで、爪部材３３の当接により第１のピン部材４８、第１の作動ピンもさらに後方へ回動（図１０の時計回転方向に回動）し、長孔部２８ａ中で中央部位に位置していた第１の作動ピン２７は、長孔部２８ａの後端部まで移動する。すなわち、第１の作動ピン２７は長孔部２８ａの前端部から後端部へ距離Ｋ分移動することとなる。
【００４２】
この距離Ｋ分の第１の作動ピン２７の後方への移動によって、第１の作動ピン２７の上端が挿入されている第１の係止部材２４も後方へ移動されて、第１の仕掛けは係止状態（図３）から係止解除状態（図４）となる。また、図示しないが、第２の玩具体２００においても、前壁スイッチ部材２２０が後方へ移動することで、第２のピン部材２４８が後方へ回動し、第２の作動ピン２２７は同様に距離Ｋ分だけ後方へ移動する。このことによって、第２の作動ピン２２７の上端が挿入されている摺動部材２９０も後方へ移動することにより、その上面の谷部に潜入している第２の係止部材２２４の下端が後方へ移動されて、第２の係止部材２２４は軸体２２５周りに前方へ回動する。したがって、第２の仕掛けは係止状態（図５）から係止解除状態（図６）になる。
【図面の簡単な説明】
【００４３】
【図１】本発明の一実施形態である連結玩具に内蔵される各仕掛けを動作させた様子を図示するために左斜め上から見た外観斜視図である。
【図２】(ａ)〜（ｄ）は、図１の連結玩具を模式的に図示した動作説明の正面図である。
【図３】図１の第１の玩具体１のＸ-Ｘ線矢視断面図であり、第１の仕掛けが係止状態にあることを図示している。
【図４】図１の第１の玩具体１のＸ-Ｘ線矢視断面図であり、第１の仕掛けの係止が解除された解除状態にあることを図示している。
【図５】図１の第２の玩具体２００のＹ-Ｙ線矢視断面図であり、第２の仕掛けが係止状態にあることを図示している。
【図６】図１の第２の玩具体２００のＹ-Ｙ線矢視断面図であり、第２の仕掛けの係止が解除された解除状態にあることを図示している。
【図７】図１の第１の玩具体１、第２の玩具体２００のＺ-Ｚ線矢視断面図である。
【図８】連結杆１３が係止状態であることを図示した底面図である。
【図９】第１の連結杆１３の係止が解除された後に抑制機構３００が機能することを図示した底面図である。
【図１０】(ａ)から(ｃ）は、第１の作動ピン２７が前後方向に移動される動作説明のための底面図である。
【符号の説明】
【００４４】
１  第１の玩具体
２  基部
３  車輪
４  カバー
４ｂ  第１の仕掛け収容部
５  風防
６  運転席ドア
７  ガルウイング扉（第１の可動部）
８  昇降台（第１の可動部）
９  砲台
１０  第１の操作部
１１  後壁
１２  前壁
１３  第１の連結杆
１４  電池
１５  発光ＬＥＤ素子
２００  第２の玩具体
２０２  第２の基部
２０２ｋ  連結部
２０４  カバー
２０４ｂ  第２の仕掛け収容部
２０７  開閉扉（第２の可動部）
２０８  回動扉（第２の可動部）
２０９  戦闘機
２１０  第２の操作部
２１１  後壁
２１２  前壁
２１３  第２の連結杆（図１）
２５０  軸体
２５１  トーションバネ
２５２  軸体
２５３  トーションバネ
２５５  可動式係止爪
２５６  固定式係止爪（図２）
１９  圧縮コイルバネ
２０  第１の解除部材
２０ａ  傾斜面
２１  圧縮コイルバネ
２２  ガイド棒
２３  圧縮コイルバネ
２４  第１の係止部材
２５  軸体
２６  圧縮コイルバネ
２７  第１の作動ピン
２８  第１の作動部材（図３、図４）
２２０  前壁スイッチ部材（第２の解除部材）
２２０ａ  傾斜面
２２１  圧縮コイルバネ
２２４  第２の係止部材
２２７  第２の作動ピン
２２８  第２の作動部材（図５、図６）
３０  軸体
３３  爪部材
４１、４２  圧縮コイルバネ
４４  引張りコイルバネ
４８  第１のピン部材
２１３  第２の連結杆
３００  抑制機構
【図１】
2008136750.tif 000003
【図２】
2008136750.tif 000004
【図３】
2008136750.tif 000005
【図４】
2008136750.tif 000006
【図５】
2008136750.tif 000007
【図６】
2008136750.tif 000008
【図７】
2008136750.tif 000009
【図８】
2008136750.tif 000010
【図９】
2008136750.tif 000011
【図１０】
2008136750.tif 000012